(57)【要約】【課題】厚さ寸法を小さくできる工事用防音パネルを提供すること。【解決手段】防音パネル１を面状部材１０と共に形成する枠体２０は、外壁部２１と、枠体の内側への突出長さを有している縁部２２及び受け部２３とを備えており、これらの間に開口形成されている溝２４に面状部材１０の辺部１１が嵌合され、面状部材１０は、長さ方向が枠体２０の前後方向となっていて面状部材１０に到達している結合具４２で枠体２０に結合され、外壁部２１と縁部２２との間に、枠体２０の後側へ窪んでいて、段積みされる防音パネル１のうちの下側の防音パネル１の外壁部２１の屈曲部２７が載せられる段部２５が形成され、受け部２３の後側の部分に、下側の防音パネル１の縁部２２が侵入する空間部２６が形成されており、この縁部２２は、平坦状となって枠体２０の内側へ突出した平坦形状となっている。【選択図】図１１
2007217866.tif 000002
【特許請求の範囲】
【請求項１】
四角形の面状部材と、この面状部材の４個の辺部に嵌合された四角形の枠体とを含んで形成され、
この枠体は、外壁部と、前記枠体の前側の端部に設けられ、前記枠体の内側への突出長さを有している縁部と、前記枠体の前側の端部と後側の端部との間に設けられ、前記枠体の内側への突出長さを有している受け部とを備えており、
前記縁部と前記受け部との間に前記枠体の内側に向かって開口形成されている溝に、前記面状部材の辺部が嵌合され、この面状部材が、長さ方向が前記枠体の前後方向となっていて前記面状部材に到達している結合具によって前記枠体に結合され、
前記外壁部と前記縁部との間に前記枠体の後側へ窪んだ段部が形成され、前記受け部の後側の部分が空間部となっている工事用防音パネルにおいて、
前記縁部が、平坦状となって前記枠体の内側へ突出した平坦形状となっていることを特徴とする工事用防音パネル。
【請求項２】
請求項１に記載の工事用防音パネルにおいて、前記結合具は頭部付きの結合具であり、この結合具は前記縁部に向かって前記受け部に貫通挿入されているとともに、前記頭部が当接する前記受け部の面は、前記縁部の側へ窪んだ段差面となっていることを特徴とする工事用防音パネル。
【請求項３】
請求項１に記載の工事用防音パネルにおいて、前記縁部の外面には、表面部材が取り付けられていることを特徴とする工事用防音パネル。
【請求項４】
請求項３に記載の工事用防音パネルにおいて、前記結合具は、前記表面部材の側から前記縁部に貫通挿入されることによって前記面状部材に到達していることを特徴とする工事用防音パネル。
【請求項５】
請求項１〜４のいずれかに記載の工事用防音パネルにおいて、前記枠体は対称形状を有する２個の枠部材で形成され、これらの枠部材は、前記面状部材の４個の辺部のうちの１個の辺部の全長と対応する長さを有する１個の第１辺部と、前記１個の辺部の両隣の２個の辺部のそれぞれ半分の長さと対応する長さを有する２個の第２辺部とからなり、それぞれの前記枠部材は、前記第１辺部と前記第２辺部との間に形成された直角切欠部で直角に折り曲げることにより形成されていることを特徴とする工事用防音パネル。
【発明の詳細な説明】
【技術分野】
【０００１】
本発明は、建築工事現場や土木工事現場等において、防音のためや、落下物の飛散の防止等のために用いられる工事用防音パネルに関する。
【背景技術】
【０００２】
建築工事現場や土木工事現場では、工事騒音の防音のためや、工事で使用される物等が落下して周囲に飛散することを防止するために、工事用防音パネルが用いられる。
【０００３】
下記の特許文献１に示されている工事用防音パネルは、四角形の面状部材と、この面状部材の４個の辺部に嵌合された四角形の枠体とを含んで形成されているとともに、この枠体は、外壁部と、枠体の前側の端部に設けられ、枠体の内側への突出長さを有している縁部と、枠体の前側の端部と後側の端部との間に設けられ、枠体の内側への突出長さを有している受け部とを備えている。また、縁部と受け部との間に枠体の内側に向かって開口形成されている溝に、面状部材の辺部が嵌合され、この面状部材が、長さ方向が枠体の前後方向となっていて面状部材に到達している結合具によって枠体に結合されているとともに、外壁部と縁部との間に枠体の後側へ窪んだ段部が形成され、受け部の後側の部分が空間部となっている。
【０００４】
この従来の工事用防音パネルによると、工事現場等のストックヤードで平積みするためや、運搬車両の荷台に積載するために、上記縁部を上側にして複数個の防音パネルを上下に段積みしたとき、下側の防音パネルの段部の上に上側の防音パネルの外壁部が載せられることにより、下側の防音パネルの縁部が上側の防音パネルの空間部に侵入することになるため、全体の段積み寸法を小さくすることができる。
【特許文献１】登録実用新案第３１１４９４３号公報
【発明の開示】
【発明が解決しようとする課題】
【０００５】
しかし、上記従来の工事用防音パネルでは、上記縁部が枠体の前側へ湾曲突出する湾曲形状となっているため、複数個の防音パネルを段積みしたとき、この縁部が侵入する上記空間部の上下寸法、言い換えると、上記枠体の前後方向における上記空間部の寸法を大きくしなければならない。これによると、枠体の前後方向は工事用防音パネルの厚さ方向であるため、それぞれの工事用防音パネルの厚さ寸法が大きくなってしまい、好ましくない。
【０００６】
本発明の目的は、厚さ寸法を小さくできるようになる工事用防音パネルを提供するところにある。
【課題を解決するための手段】
【０００７】
本発明に係る工事用防音パネルは、四角形の面状部材と、この面状部材の４個の辺部に嵌合された四角形の枠体とを含んで形成され、この枠体は、外壁部と、前記枠体の前側の端部に設けられ、前記枠体の内側への突出長さを有している縁部と、前記枠体の前側の端部と後側の端部との間に設けられ、前記枠体の内側への突出長さを有している受け部とを備えており、前記縁部と前記受け部との間に前記枠体の内側に向かって開口形成されている溝に、前記面状部材の辺部が嵌合され、この面状部材が、長さ方向が前記枠体の前後方向となっていて前記面状部材に到達している結合具によって前記枠体に結合され、前記外壁部と前記縁部との間に前記枠体の後側へ窪んだ段部が形成され、前記受け部の後側の部分が空間部となっている工事用防音パネルにおいて、前記縁部が、平坦状となって前記枠体の内側へ突出した平坦形状となっていることを特徴とするものである。
【０００８】
この工事用防音パネルでは、縁部は、枠体の前側へ湾曲突出する湾曲形状となっておらず、平坦状となって枠体の内側へ突出した平坦形状となっているため、複数個の防音パネルを上下に段積みしたとき、この縁部が侵入する上記空間部の上下寸法、言い換えると、枠体の前後方向における上記空間部の寸法を大きくしなくてもよくなり、したがって、枠体の前後方向は工事用防音パネルの厚さ方向であることから、工事用防音パネルの厚さ寸法を小さくすることができ、また、それぞれの防音パネルを上下に段積みしたときの全体の段積み寸法を小さくすることができる。
【０００９】
以上の工事用防音パネルにおいて、面状部材は合成樹脂製でもよく、金属製でもよい。また、この面状部材は、孔等の開口部が一切形成されていない部材でもよく、多数の小孔等の開口部が全面的に又は部分的に形成されている部材でもよく、さらに、網目状の部材でもよい。
【００１０】
また、前記結合具が頭部付き結合具となっていて、この結合具が前記縁部に向かって前記受け部に貫通挿入される場合には、上記頭部が当接する受け部の面を、縁部の側へ窪んだ段差面とすることが好ましい。
【００１１】
これによると、結合具の頭部が前記空間部に突出する量を、段差面の段差分だけ小さくすることができ、これにより、枠体の前後方向におけるこの空間部の寸法を一層小さくできるため、防音パネルの厚さ寸法の一層の短縮を図ることができる。
【００１２】
また、本発明では、前記縁部は、平坦状となって枠体の内側へ突出した平坦形状となっているため、この縁部の外面に表面部材を取り付けることもできる。すなわち、この縁部を前記枠体における表面部材の取付部として活用することもできる。
【００１３】
この表面部材は、防音パネルを用いて施工されている工事の内容や期間等を表示した表示板でもよく、工事とは無関係であって、商業的広告内容を表示した広告板でもよく、歩行者等を視覚的に愉しませるデザイン板でもよく、さらには、面状部材を保護するための保護板でもよく、その表面部材の用途は任意である。
【００１４】
また、上述のように縁部の外面に表面部材を取り付ける場合には、前記結合具を、この表面部材の側から前記縁部に貫通挿入されることにより、この結合具を面状部材に到達させてもよい。これによると、同じ結合具によって面状部材と表面部材の両方が前記枠体に結合されることになり、結合具の兼用化を図ることができる。
【００１５】
なお、このように同じ結合具によって面状部材と表面部材の両方を枠体に結合する場合においても、この結合具とは別の結合具を、前記縁部に向かって前記受け部に貫通挿入し、この別の結合具を前記面状部材に到達させることにより、この別の結合具でも面状部材を枠体に結合するようにしてもよい。この別の結合具は、上述した頭部付き結合具でもよく、頭部なし結合具でもよい。
【００１６】
また、本発明において、四角形の面状部材の４個の辺部に嵌合される四角形の前記枠体は、両端が４５度の切断部となっている４個の枠部材を四角枠状に組み合わせることによって形成したものでもよく、あるいは、前記枠体を、対称形状を有する２個の枠部材で形成し、これらの枠部材を、面状部材の４個の辺部のうちの１個の辺部の全長と対応する長さを有する１個の第１辺部と、この１個の辺部の両隣の２個の辺部のそれぞれ半分の長さと対応する長さを有する２個の第２辺部とからなるものとするとともに、それぞれの枠部材を、第１辺部と第２辺部との間に形成された直角切欠部で直角に折り曲げることによって形成し、これらの枠部材を面状部材に対称的に配置することにより、面状部材の４個の辺部に嵌合された前記枠体を形成するようにしてもよい。
【００１７】
後者によると、両端が４５度の切断部となっている４個の枠部材を製造する必要がなく、対称形状となった２個の枠部材を製造すればよいため、前者よりも容易に前記枠体を得られるようになる。
【発明の効果】
【００１８】
本発明によると、工事用防音パネルの厚さ寸法を小さくでき、これらの防音パネルを上下に段積みした場合には、全体の段積み寸法を小さくできるという効果を得られる。
【発明を実施するための最良の形態】
【００１９】
以下に本発明を実施するための形態を図面に基づいて説明する。図１には、本実施形態に係る工事用防音パネル１が、建築工事現場又は土木工事現場において、上下及び左右に複数配置されることによって形成されている防音壁が示されており、これらの防音パネル１は、工事現場で間隔をあけて立設されたパイプ材による支柱２に取付具３を介して取り付けられている。図２及び図３で示されている取付具３による防音パネル１の支柱２への取付構造については、後述する。
【００２０】
図４は、１個の工事用防音パネル１を表面から見た全体図である。この防音パネル１は、半透明となっている四角形のポリカーボネート製の面状部材１０と、この面状部材１０の４個の辺部１１に嵌合されたアルミ合金製の枠体２０を含んで形成されている。この枠体２０は、対称形状となっている上下２個の枠部材３０，３１からなり、それぞれの枠部材３０，３１はアルミ合金の押し出し成形品又は引き抜き成形品である。
【００２１】
図５には、これらの枠部材３０，３１の製造方法が示されている。押し出し成形又は引き抜き成形によって枠部材３０，３１のための原料部材４０を製造し、この原料部材４０の長さを、図４で示すように長方形となっている面状部材２０の４個の辺部１１のうち、１個の長辺部１１Ａの全長Ｌ１と対応する長さと、この長辺部１１Ａの両隣にある２個の短辺部１１Ｂの長さＬ２の半分の２倍と対応する長さとの合計値と同じにする。そして、図５に示されているように、原料部材４０の両端部から短辺部１１Ｂの長さＬ２の半分に対応する２つの箇所において、直角の切欠部４１を形成し、これらの切欠部４１において原料部材４０を直角に折り曲げる。このような作業により、図６で示されている２個の枠部材３０，３１を製造し、これらの枠部材３０，３１は、面状部材１の１個の長辺部１１Ａの全長Ｌ１と対応する長さとなった１個の第１辺部３２と、長辺部１１Ａの両隣にある２個の短辺部１１Ｂの長さＬ２のそれぞれ半分と対応する長さとなった２個の第２辺部３３とからなる。
【００２２】
図７は、図４のＳ７−Ｓ７線断面図であり、図８は、図４のＳ８−Ｓ８線断面図、図９は、図４のＳ９−Ｓ９線断面図である。これらの図７〜図９で示されているように、それぞれの枠部材３０，３１は、言い換えると、これらの枠部材３０，３１で形成される前記枠体２０は、枠体２０の最外部を形成している外壁部２１と、枠体２０の前側の端部（図７〜図９は、枠体２０の前側を上側とした図面になっているため、これらの図７〜図９では、上側の端部）に設けられ、枠体２０の内側への突出長さを有している縁部２２と、枠体２０の前側の端部と後側の端部との間に設けられ、枠体２０の内側への突出長さを有している受け部２３とを備えており、この受け部２３は、内部が中空となった角筒状となっている。また、縁部２２と受け部２３との間には、枠体２０の内側に向かって開口していて、面状部材１０の辺部１１が嵌合される溝２４が形成されており、さらに、外壁部２１と縁部２２との間に、枠体２０の後側へ窪んだ段部２５が形成され、受け部２３の後側の部分は空間部２６となっている。
【００２３】
また、外壁部２１の後端部には、枠体２０の内側へ屈曲突出した屈曲部２７が形成されているとともに、空間部２６と対面している受け部２３の面２８には、縁部２２の側へ、言い換えると、枠体２０の前側へ窪んだ段差面２８Ａが設けられている。
【００２４】
そして、本実施形態における上記縁部２２は、枠体２０の前側へ湾曲突出する湾曲形状となっておらず、平坦状となって枠体２０の内側へ突出した平坦形状となっている。
【００２５】
以上の断面形状を有している枠体２０の枠部材３０，３１と面状部材１０とで防音パネル１を組み立てるときには、先ず、枠部材３０，３１の図６で示した第１辺部３２、第２辺部３３の溝２４に面状部材１０のそれぞれの辺部１１を嵌合し、この後、図４及び図７で示されているように、これらの枠部材３０，３１の第２辺部３３の外壁部２１の内面同士の間に、これらの外壁部２１に跨る板状の連結部材３４を架け渡し、この連結部材３４を図７で示されているリベット等の結合具３５でそれぞれの外壁部２１に結合することにより、面状部材１０の４個の辺部１１に上下対称形状となって嵌合配置された２個の枠部材３０と３１を連結部材３４で連結する。
【００２６】
これにより、四角形の面状部材１０の外周部に枠体２０が配置されたことになり、この枠体２０は対称形状となっている２個の枠部材３０，３１で形成されており、本実施形態によると、枠体２０を、両端が４５度の切断部となっている４個の枠部材を組み合わせて形成する必要がないため、枠体２０を構成する部材の製造作業と、枠体２０の面状部材１０への嵌合作業とを容易に行える。
【００２７】
そして、図９で示されているタッピングビス等による頭部４２Ａ付きの結合具４２を、縁部２２に向かって受け部２３に貫通挿入する作業を行い、この結合具４２の頭部４２Ａが受け部２３の段差面２８Ａに当接するまで結合具４２を受け部２３に貫通挿入することにより、この結合具４２の先鋭状の先端部４２Ｂを面状部材１０まで到達させる。図９では、先端部４２Ｂは前記縁部２２の内部まで侵入していないが、侵入させてもよい。
【００２８】
このように長さ方向が枠体２０の前後方向、すなわち防音パネル１の厚さ方向となっている頭部付き結合具４２は、面状部材１０のそれぞれの辺部１１毎に複数本設けられ、これらの結合具４２により、受け部２３で受けられている面状部材１０は枠体２０に結合される。
【００２９】
また、枠体２０を形成している２個の枠部材３０，３１の図６で示した第１辺部３２同士の間に、図４及び図８で示されている補強部材４３を架け渡す作業を行う。この補強部材４３は、図８から分かるように、枠体２０の前後方向の両側、すなわち防音パネル１の厚さ方向の両側（図８では上下方向の両側）に設けられている２個のフランジ部４３Ａ，４３Ｂと、これらのフランジ部４３Ａ，４３Ｂを連結しているウェブ部４３Ｃとからなる断面Ｉ型又は断面Ｈ型の部材であり、一方のフランジ部４３Ａは、それぞれの枠部材３０，３１の受け部２３の段差面２８Ａまで延びる長さを有している。
【００３０】
このフランジ部４３Ａの両端部をそれぞれの枠部材３０，３１の受け部２３の段差面２８Ａに当てるとともに、他方のフランジ部４３Ｂを面状部材１０の後面に当て、上記結合具４２と同様に、長さ方向が枠体２０の前後方向となっているタッピングビス等による頭部４４Ａ付きの結合具４４を、それぞれの枠部材３０，３１毎に、これらの枠部材３０，３１の縁部２２に向かってフランジ部４３Ａと受け部２３に貫通挿入する作業を行い、この結合具４４の頭部４４Ａがフランジ部４３Ａに当接するまで結合具４４をフランジ部４３Ａと受け部２３に貫通挿入し、結合具４４の先鋭状の先端部４４Ｂを面状部材１０に到達させ、この先端部４４Ｂを縁部２２の内部に侵入させない又は侵入させる。
【００３１】
図１で示されている前記取付具３は図２で示されており、図３は、図２のＳ３−Ｓ３断面図である。図３で示されているように、取付具３の本体は、連結軸３Ａで開閉自在に連結された一対の挟着部材４，５で形成され、一方の挟着部材４には、軸６を中心に回動自在となったねじ軸７が設けられ、他方の挟着部材５には、このねじ軸７が嵌合される溝が形成されており、この溝に嵌合されたねじ軸７に螺合させたナット８を他方の挟着部材５に当たるまで締め付けことにより、一対の挟着部材４，５は支柱２に挟着され、これによって取付具３は支柱２に固定される。一方の挟着部材４には、支柱２の直径方向の間隔をあけて２本のピン９が設けられ、これらのピン９は、水平部９Ａと、この水平部９Ａの先端から上下方向に屈曲した屈曲部９Ｂとからなる。
【００３２】
防音パネル１を配置するために、防音パネル１全体の長辺部の長さと対応する間隔をあけて前記工事現場に立設されたそれぞれの支柱２には、防音パネル１の上下配置段数に応じた上下複数個の取付具３が、防音パネル１全体の短辺部の長さに対応する間隔をあけて固定され、これらの取付具３のうち、最上部の取付具３のピン９の屈曲部９Ｂの向きは下向きとされるが、残りの全部の取付具３のピン９の屈曲部９Ｂの向きは上向きとされる。
【００３３】
図４で示されているように、防音パネル１の枠体２０のそれぞれの第１辺部３２の両端部近傍には孔３６が形成され、これらの孔３６は、図９で示されているとおり、枠体２０の前記外壁部２１における受け部２３と屈曲部２７との間に設けられている。
【００３４】
それぞれの支柱２にそれぞれの防音パネル１を取付具３を介して取り付ける場合には、これらの支柱２に複数の上下配置段数で配置される防音パネル１のうち、最下段の防音パネル１の枠体２０における下側の第１辺部３２の孔３６に、最下部の取付具３のピン９の上向きの屈曲部９Ｂが挿入され、最下段の防音パネル１の枠体２０における上側の第１辺部３２の孔３６と、最下段から２段目の防音パネル１の枠体２０における下側の第１辺部３２の孔３６とに、最下部から２個目の取付具３のピン９の上向きの屈曲部９Ｂが挿入され、このようにして上下に隣接している防音パネル１のそれぞれの孔３６に１個の取付具３のピン９の上向きの屈曲部９Ｂを挿入することを、最上段の防音パネル１の枠体２０における下側の第１辺部３２の孔３６まで行い、この最上段の防音パネル１の枠体２０における上側の第１辺部３２の孔３６に、最上部の取付具３のピン９の下向きの屈曲部９Ｂを挿入する。
【００３５】
これにより、それぞれの支柱２にそれぞれの防音パネル１が取付具３を介して取り付けられる。
【００３６】
なお、このようにしてそれぞれの支柱２に取付具３を介して上下、左右に隣接配置される防音パネル１同士の間に隙間が生ずることを防止するために、図４で示されているように、防音パネル１の枠体２０の第１辺部３２と第２辺部３３の外壁部２１の外面に、ごむ等による弾性部材３７を取り付け、これらの弾性部材３７を介して防音パネル１同士を密着させるようにしてもよい。
【００３７】
また、図４で示されているように、枠体２０における第２辺部３３の第１辺部３２と隣接した箇所にも孔３６を設けることにより、それぞれの防音パネル１を縦長にして配置できるようにしてもよい。
【００３８】
これらの防音パネル１は、工事現場等のストックヤードで平積みする際や、運搬車両の荷台に積載する際には、図１１で示されているように、枠体２０の前記縁部２２を上側にして上下に段積みされる。この段積みは、上側の防音パネル１における枠体２０の外壁部２１の前記屈曲部２７を、下側の防音パネル１における枠体２０の後側（図１１では下側）へ窪んで形成された段部２５の上に載せて行われ、この段積みにより、下側の防音パネル１における枠体２０の縁部２２は、上側の防音パネル１における枠体２０の前記受け部２３の後側（図１１では下側）に形成されている前記空間部２６に侵入する。
【００３９】
本実施形態に係る防音パネル１では、縁部２２は、枠体２０の前側へ湾曲突出する湾曲形状となっておらず、平坦状となって枠体２０の内側へ突出した平坦形状となっているため、複数個の防音パネル１を以上のように段積みしたとき、この縁部２２が侵入する上記空間部２６の上下寸法、言い換えると、枠体２０の前後方向における上記空間部２６の寸法を大きくしなくてもよくなる。したがって、枠体２０の前後方向は防音パネル１の厚さ方向であることから、防音パネル１の厚さ寸法を小さくすることができ、また、それぞれの防音パネル１を段積みしたときの全体の段積み寸法を小さくすることができる。
【００４０】
また、空間部２６の側へ突出する頭部４２Ａを有している結合具４２は、受け部２３における縁部２２の側へ窪んだ段差面２８Ａに頭部４２Ａが当接することによって面状部材１０を枠体２０に結合しているため、頭部４２Ａが空間部２６の側に向いていても、段差面２８Ａの段差量だけ、防音パネル１の厚さ寸法を一層小さくすることもでき、それぞれの防音パネル１を段積みしたときの全体の段積み寸法も一層小さくすることができる。
【００４１】
また、空間部２６の側へは、図８で示した連結部材４３を枠体２０に結合するための結合具４４の頭部４４Ａも突出するが、この連結部材４３のフランジ部４３Ａは段差面２８Ａに当てられるため、空間部２６の側への頭部４４Ａの突出量を、段差面２８Ａの段差量だけ小さくすることができる。
【００４２】
図１０には、枠体２０に、工事が行われている周辺を歩く歩行者等を視覚的に愉しませるための図形等が表示された板状の表面部材５０を取り付けた防音パネル１’が示されている。この表面部材５０は、前述したように平坦状となって枠体２０の内側へ突出している平坦形状の縁部２２の外面に、長さ方向が枠体２０の前後方向となっているタッピングビス等による頭部４５Ａ付きの結合具４５によって結合される。すなわち、この結合具４５を表面部材５０の側から縁部２２に貫通挿入し、頭部４５Ａを表面部材５０の外面に当接させるとともに、先鋭状の先端部４５Ｂを面状部材１０に到達させ、この先端部４５Ｂを受け部２３の内部に侵入させない又は侵入させる。
【００４３】
このような頭部付き結合具４５は、面状部材１０のそれぞれの辺部１１毎に複数本設けられる。このように、結合具４５で縁部２２の外面に取り付けられた表面部材５０を備えている防音パネル１’については、枠体２０への面状部材１０への結合は、これらの結合具４５だけで行ってもよく、これらの結合具４５と、図８、図９で示した結合具４２，４４とによって行ってもよい。
【００４４】
図１２は、表面部材５０が取り付けられている防音パネル１’を含む複数個の防音パネル１を、縁部２２を上側にして上下に段積みしたときを示している。本実施形態では、縁部２２は、前述したように、枠体２０の前側へ湾曲突出する湾曲形状となっておらず、平坦状となって枠体２０の内側へ突出した平坦形状となっているため、防音パネル１’における縁部２２の外面に表面部材５０を結合具４５で結合できるとともに、防音パネル１，１’を上下に段積みしたとき、下側の防音パネル１’の枠体２０の縁部２２は、上側の防音パネル１の枠体２０の空間部２６の側への大きな突出量を有するものとはならず、このため、この下側の防音パネル１’の枠体２０の縁部２２の外面に表面部材５０を結合具４５で取り付けても、上側の防音パネル１の枠体２０の前後方向における空間部２６の限られた寸法内に、表面部材５０と結合具４５の頭部４５Ａとを充分収納することができる。
【産業上の利用可能性】
【００４５】
本発明は、建築工事現場や土木工事現場等で防音等の目的で用いられる防音パネルに利用することができる。
【図面の簡単な説明】
【００４６】
【図１】本実施形態に係る工事用防音パネルが上下及び左右に複数配置されることで形成される防音壁を示す正面図である。
【図２】図１で示されている支柱と、この支柱に防音パネルを取り付けるための取付具とを示す正面図である。
【図３】図２のＳ３−Ｓ３線断面図である。
【図４】図１で示されている１個の工事用防音パネルの全体を表面から見た図である。
【図５】工事用防音パネルの枠体を形成している枠部材の製造方法を示す図であって、この枠部材が、直角切欠部が形成された原料部材から製造されることを示す図である。
【図６】図５の直角切欠部で原料材料を直角に折り曲げて形成された枠部材を示す図である。
【図７】図４のＳ７−Ｓ７線断面図である。
【図８】図４のＳ８−Ｓ８線断面図である。
【図９】図４のＳ９−Ｓ９線断面図である。
【図１０】縁部の外面に表面部材が取り付けられた防音パネルを示す図９と同様の図である。
【図１１】図１及び図４〜図９で示されている複数個の防音パネルを上下に段積みしたときを示す枠体の部分の縦断面図である。
【図１２】表面部材が取り付けられている防音パネルを含む複数個の防音パネルを上下に段積みしたときを示す枠体の部分の縦断面図である。
【符号の説明】
【００４７】
１，１’  工事用防音パネル
１０  面状部材
１１  辺部
２０  枠体
２１  外壁部
２２  縁部
２３  受け部
２４  溝
２５  段部
２６  空間部
３０，３１  枠部材
３２  第１辺部
３３  第２辺部
４０  原料部材
４１  直角切欠部
４２，４４，４５  結合具
４２Ａ，４４Ａ，４５Ａ  頭部
５０  表面部材
【図１】
2007217866.tif 000003
【図２】
2007217866.tif 000004
【図３】
2007217866.tif 000005
【図４】
2007217866.tif 000006
【図５】
2007217866.tif 000007
【図６】
2007217866.tif 000008
【図７】
2007217866.tif 000009
【図８】
2007217866.tif 000010
【図９】
2007217866.tif 000011
【図１０】
2007217866.tif 000012
【図１１】
2007217866.tif 000013
【図１２】
2007217866.tif 000014